(57)【要約】−長手方向の軸線（Ｘ）を有する細長い中空のハンドル（２）であって、該ハンドル（２）は前端部（３）および前端部（３）と反対側の後端部（４）を有する、ハンドル（２）と、−第１のカミソリヘッド（６）および第２のカミソリヘッド（７）であって、両者は支持体（８）上に取り付けられ、支持体（８）は、ハンドル（２）内に取り付けられ、少なくとも、−第１のカミソリヘッド（６）が、シェービングできるようにハンドル（２）の前端部（３）から外側に突き出し、一方、第２のカミソリヘッド（７）がハンドル（２）内に収納される第１の使用位置と、−第２のカミソリヘッド（７）が、シェービングできるようにハンドル（２）の後端部（４）から外側に突き出し、一方、第１のカミソリヘッド（６）がハンドル（２）内に収納される第２の使用位置との間を、ハンドルの軸線（Ｘ）に実質的に平行な方向に沿ってハンドル（２）に対してスライド可能である、第１のカミソリヘッド（６）および第２のカミソリヘッド（７）と、−支持体（８）を１つの位置から他の位置に移動させるために支持体（８）上に取り付けられた手動アクチュエータ（３６）と、を有するカミソリ（１）。
2007529251.tif 000002
【特許請求の範囲】
【請求項１】
−長手方向の軸線（Ｘ）を有する細長い中空のハンドル（２）であって、該ハンドル（２）は、前端部（３）および該前端部（３）と反対側の後端部（４）を有する、ハンドル（２）と、
−第１のカミソリヘッド（６）および第２のカミソリヘッド（７）であって、両者は支持体（８）上に配置されており、該支持体（８）は、前記ハンドル（２）内に取り付けられ、少なくとも、
−前記第１のカミソリヘッド（６）が、シェービングできるように前記ハンドル（２）の前記前端部（３）から外側に突き出し、一方、前記第２のカミソリヘッド（７）が前記ハンドル（２）内に収納される第１の使用位置と、
−前記第２のカミソリヘッド（７）が、シェービングできるように前記ハンドル（２）の前記後端部（４）から外側に突き出し、一方、前記第１のカミソリヘッド（６）が前記ハンドル（２）内に収納される第２の使用位置と、
の間を、前記ハンドルの前記軸線（Ｘ）に実質的に平行な方向に沿って前記ハンドル（２）に対してスライド可能である、第１のカミソリヘッド（６）および第２のカミソリヘッド（７）と、
前記支持体（８）を１つの位置から他の位置に移動させるために前記支持体（８）上に取り付けられた手動操作可能なアクチュエータ（３６）と、
を有するカミソリ（１）。
【請求項２】
前記支持体（８）は、両方の前記カミソリヘッド（６，７）が前記ハンドル（２）内に収納される第３の位置、すなわち中間位置を取ることができる、請求項１に記載のカミソリ（１）。
【請求項３】
前記支持体（８）をその前記第１または第２の使用位置にロックする手段（３６，４６，４７，５０，５１，５７，６１，６３）をさらに有する、請求項１に記載のカミソリ（１）。
【請求項４】
前記支持体（８）をその前記中間位置にロックする手段（３６，４６，４７，５０，５１，５７，６２）をさらに有する、請求項２に記載のカミソリ（１）。
【請求項５】
前記ロック手段は、少なくとも部分的に前記手動操作可能なアクチュエータ（３６）上に設けられている、請求項３または請求項４に記載のカミソリ（１）。
【請求項６】
前記アクチュエータ（３６）は、中空の本体（３７）と、前記ハンドル（２）に設けられた長穴（６１，６２，６３）内に留めることができるアーム（５０，５１）を備えたプッシャ（４７）と、を有し、該プッシャ（４７）は、前記アーム（５０，５１）が前記長穴（６１，６２，６３）内に入れられるロック位置と、前記アーム（５０，５１）が前記長穴（６１，６２，６３）の外側に配置される非ロック位置との間を、前記中空の本体（３７）に対してスライド可能である、請求項５に記載のカミソリ（１）。
【請求項７】
前記プッシャ（４７）を常にその前記ロック位置の方へ付勢する圧縮ばね（５７）をさらに有する、請求項６に記載のカミソリ（１）。
【請求項８】
前記ハンドル（２）は、前記支持体（８）を移動時に案内するために、スライドするように前記支持体（８）と協働する一対の長手方向レール（３０，３１）をさらに有する、請求項１から７のいずれかに記載のカミソリ（１）。
【請求項９】
前記両カミソリヘッド（６，７）は互いに異なる大きさを有する、請求項１から７のいずれかに記載のカミソリ（１）。
【請求項１０】
前記各カミソリヘッド（６，７）は、取外し可能なカートリッジとして構成されており、前記カミソリ（１）は、前記各カミソリヘッド（６，７）を除去し交換するためのロックアンドリリース機構を有する、請求項１から８のいずれかに記載のカミソリ（１）。
【請求項１１】
前記各ロックアンドリリース機構（６５）は前記支持体（８）の端部に取り付けられている、請求項１０に記載のカミソリ（１）。
【請求項１２】
前記各ロックアンドリリース機構（６５）は、
−前記カミソリヘッド（６，７）を取り付けるための支持部材（７１）を備える２つの脚部（６９，７０）を有する弾性的なＶ字形の保持部（６８）と、
−プランジャ（７４）と、
−前記プランジャ（７４）を前記カミソリヘッド（６，７）の方へ付勢するばね（７６）と、
−前記保持部（６８）の前記脚部（６９，７０）を互いに離れる方向へ付勢するカム部材（７３）と、
を有し、
前記保持部（６８）の前記脚部（６９，７０）は横方向ウィング（９７）を有し、
前記カミソリ（１）は、前記ロックアンドリリース機構（６５）を始動させる一対のアクチュエータ（７７）をさらに有し、該各アクチュエータは、
−前記ハンドル（２）に取り付けられた固定部（８１）および可とう性部分（７９）を有する板ばね部材（８０）と、
−ユーザの指で触れることができ、前記可とう性部分（７９）と協働するボタン（７８）と、
を有し、
一方の前記使用位置の時、前記横方向ウィング（９７）は前記可とう性部分（７９）と協働し、一方、中間位置または他方の前記使用位置の時、前記横方向ウィング（９７）は前記固定部（８１）と協働する、請求項１１に記載のカミソリ（１）。
【請求項１３】
前記ハンドル（２）は底部のシェル部材（９）および頂部のシェル部材（１０）を有し、前記板ばね部材（８０）は、前記両シェル部材（９，１０）同士を一緒に保持するクリップ部材を形成している、請求項１２に記載のカミソリ（１）。
【請求項１４】
前記各板ばね部材（８０）の前記固定部（８１）は、前記底部のシェル部材（９）および前記頂部のシェル部材（１０）に形成されたフック（９０，９２）とそれぞれ協働する一対の穴（８９，９１）を有する、請求項１３に記載のカミソリ（１）。
【請求項１５】
前記ハンドルの各端部を、それに対応する前記カミソリヘッドが前記ハンドル内に収納されている時に覆う可動の、または可とう性のカバーをさらに有する、請求項１から９のいずれかに記載のカミソリ（１）。
【発明の詳細な説明】
【技術分野】
【０００１】
発明の分野
本発明は安全カミソリに関し、より具体的には、２つのシェービングヘッドを備えたカミソリに関する。
【背景技術】
【０００２】
発明の背景
体の、互いに異なる毛髪領域をシェービングすることができるように、互いに異なる大きさの少なくとも２つのシェービングヘッドを含むカミソリを提案するいくつかの試みがなされている。
【０００３】
Carrekerに付与された特許文献１には、第１および第２のハンドル部を含み、第１および第２のカミソリヘッドがハンドル部の端部に取り付けられたカミソリ組立体が開示されている。両ハンドル部がほぼ直線状に配置され、両ヘッドが互いに広い間隔を置かれる位置から、両ハンドル部が、小さい鋭角を形成し、両ヘッドが互いに近接する位置に両ヘッドを移動させることができるように、両ハンドル部は、互いにピボット運動可能に取り付けられている。
【０００４】
Diakonovに付与された特許文献２には、通常の大きさのカミソリヘッドと、引っ込めることができる小形のカミソリヘッドとを有し、小形のカミソリヘッドは、通常の大きさのヘッドの背後に引っ込められる第１の位置から、ユーザの鼻の中心の下方の領域を剃るのに使用するために、通常のサイズのヘッドより上に配置される第２の位置に移動することができる、安全カミソリが開示されている。
【０００５】
このようなカミソリの１つの欠点は、使用時の安全性が完全とは言えないことである。ユーザは、一方のカミソリで自分自身を切らないように細心の注意を払いながら、他方のカミソリを使用しなければならない。
【０００６】
Carrekerのカミソリの他の欠点は、そのハンドルが標準的なカミソリのハンドルの２倍近い長さであり、そのために、ハンドルを楽に握るのが困難になることである。
【特許文献１】米国特許第４，４６１，０７８号明細書
【特許文献２】米国特許第４，２８５，１２４号明細書
【発明の開示】
【発明が解決しようとする課題】
【０００７】
発明の概要
本発明の目的は、２つのシェービングヘッドを有し、使用時の安全性がより高いカミソリを提供することにある。
【０００８】
本発明の他の目的は、より楽に使用できるカミソリを提供することにある。
【課題を解決するための手段】
【０００９】
本発明によるカミソリは、
−長手方向の軸線を有する細長い中空のハンドルであって、該ハンドルは、前端部および前端部と反対側の後端部を有するハンドルと、
−第１のカミソリヘッドおよび第２のカミソリヘッドであって、両者は支持体上に取り付けられ、この支持体はハンドル内に取り付けられ、少なくとも、
−前記の第１のカミソリヘッドが、シェービングできるようにハンドルの前端部から外側に突き出し、一方、第２のカミソリヘッドがハンドル内に収納される第１の使用位置と、
−第２のカミソリヘッドが、シェービングできるようにハンドルの後端部から外側に突き出し、一方、第１のカミソリヘッドがハンドル内に収納される第２の使用位置と、
の間を、ハンドルの軸線に実質的に平行な方向に沿ってハンドルに対してスライド可能である、第１のカミソリヘッドおよび第２のカミソリヘッドと、
−支持体を１つの位置から他の位置に移動させるために支持体上に取り付けられた手動操作可能なアクチュエータと、
を有する。
【００１０】
したがって、一方のヘッドが使用位置にある間、他方のヘッドは実質的に手が触れない位置にあり、それによって、ユーザが自分自身を切る恐れが軽減される。
【００１１】
また、本発明によるカミソリは小形であり、そのために、シェービング中、楽に握ることができる。
【００１２】
好ましい実施態様によれば、支持体は、両方のカミソリヘッドがハンドル内に収納される第３の位置、すなわち中間位置を取ることができる。
【００１３】
カミソリは、支持体を第１の使用位置または第２の使用位置または中間位置にロックする手段を有していてもよい。
【００１４】
このようなロック手段は、少なくとも部分的に前記の手動操作可能なアクチュエータ上に設けられていてよい。
【００１５】
アクチュエータは、中空の本体と、ハンドルに設けられた長穴内に留めることができるアームを備えたプッシャとを有するのが好ましい。プッシャは、アームが長穴に入れられるロック位置と、アームが長穴の外側に配置される非ロック位置との間を、本体に対してスライド可能である。
【００１６】
カミソリは、プッシャを常にそのロック位置の方へ付勢する圧縮ばねを有するのが好ましい。
【００１７】
さらに、ハンドルは、スライドするように支持体と協働して支持体を移動時に案内する２つの長手方向レールを有していてもよい。
【００１８】
両カミソリヘッドは、体の、互いに異なる毛髪領域をシェービングできるように互いに異なる大きさを有するのが好ましい。
【００１９】
好ましい実施態様では、各カミソリヘッドは、取外し可能なカートリッジとして構成されており、カミソリは、各カミソリヘッドを除去し交換するためのロックアンドリリース機構を有する。
【００２０】
各ロックアンドリリース機構は、支持体上の端部に取り付けられ、
−カミソリヘッドを取り付けるための支持部材であって、この支持部材は横方向ウィングを有する、支持部材を備える２つの脚部を有する弾性的なＶ字形の保持部と、
−プランジャと、
−プランジャをカミソリヘッドの方へ付勢するばねと、
−保持部の両脚部を互いに離れる方向へ付勢するカム部材と、
を有し、
カミソリは、前記のロックアンドリリース機構を始動させる一対のアクチュエータを有し、各アクチュエータは、
−ハンドルに取り付けられた固定部および可とう性部分を有する平坦なばね部材と、
−ユーザの指で触れることができ、前記の可とう性部分と協働するボタンと、
を有し、
一方の使用位置の時、横方向ウィングが可とう性部分と協働し（それによってカミソリヘッドを除去し交換することが可能になる）、一方、中間位置または他方の使用位置の時、横方向ウィングは固定部と協働する（それによってカミソリヘッドが除去されるのが防止される）。
【００２１】
好ましい実施態様では、ハンドルは頂部シェル部材および底部シェル部材を有し、ばね部材は、トリガの機能を有するのに加えて、前記のシェル部材同士を一緒に保持するクリップ部材を形成している。
【００２２】
より厳密には、各ばね部材の固定部は、頂部シェル部材と底部シェル部材に形成されたフックとそれぞれ協働する一対の穴を有している。
【００２３】
さらに、カミソリは、ハンドルの各端部を、それに対応するカミソリヘッドがハンドル内に収納されている時に覆う可動の、または可とう性のカバーを有していてもよい。
【００２４】
本発明の上記およびその他の目的および利点が、本発明の好ましい実施形態の詳細な説明を添付の図面と一緒に考慮することによって明らかになる。
【発明を実施するための最良の形態】
【００２５】
本発明によるカミソリが各図において参照番号１で示されている。
【００２６】
カミソリ１は、長手方向の軸線Ｘに沿って細長くなったハンドル２を有している。ハンドル２は中空であり、それによって、開いた前端部３およびそれと反対側の開いた後端部４を形成するハウジングを形成している。ハンドル２は、中央の狭窄部５を有し、側方から見て弓状になっており、それによって、手で楽に握ることができる。したがって、ハンドルの軸線Ｘは、開いた両端部、すなわち前端部３と後端部４の中心点を結ぶ平均的な弓状の線とみなすことができる。
【００２７】
カミソリ１は、１枚または２枚以上の刃（図示の例では３枚）を含む第１のシェービングブレードユニット、すなわちヘッド６をさらに有しており、ヘッド６は、ハンドル２の前端部３に取り付けられ、したがって、刃の縁部がハンドルの軸線Ｘに対して実質的に直角になっている。
【００２８】
第１のヘッド６は、
−ヘッド６がハンドル２の前端部３から外側に突き出る使用位置（図１，１１）と、
−ヘッド６が、ハンドル２内に形成されたハウジング内に収納される引込み位置（図２，３，６，８，１２）と、
の間を、ハンドルの軸線Ｘに実質的に平行な方向に沿ってハンドル２に対して移動可能である。
【００２９】
使用位置では、第１のヘッド６は、シェービングに使用する準備ができた状態になっており、一方、引込み位置では、第１のヘッド６は、ハンドル２内に隠れ、したがって、使用不能であり、怪我が防止され、また、不測のどのような切断も回避されるように、指で触れることが実質的にできなくなっている。
【００３０】
図５に示されているように、カミソリ１は、１枚または２枚以上の刃（図示の例では２枚）を含む第２のブレードユニット、すなわちヘッド７をさらに有しており、ヘッド７は、ハンドル２の後端部４に取り付けられ、したがって、刃の縁部がハンドルの軸線Ｘに実質的に直角になっている。言い換えれば、第１のヘッド６と第２のヘッド７とは、互いに実質的に平行に延びている。
【００３１】
ヘッド６，７の大きさは互いに異なっているのが好ましく、第１のヘッド６は標準的な幅Ｗ６を有し、一方、第２のヘッド７は、Ｗ６より狭い幅Ｗ７を有している（図１および３参照）。
【００３２】
標準的なヘッド６は通常のシェービング（あごひげ、脚）に使用され、一方、狭いヘッド７は、特定の毛髪領域、例えば、口ひげ、ほおひげ、または陰毛などを正確に整髪するのを容易にするために、容易にうまく扱うことができる寸法になっている。
【００３３】
標準的なヘッド６と同様に、狭いヘッド７は、
−狭いヘッド７がハンドル２の後端部４から外側に突き出る使用位置（図３，１２）と、
−狭いヘッド７が、ハンドル２によって形成されたハウジング内に収納される引込み位置（図１，２，６，１１）と、
の間を、ハンドルの軸線Ｘに平行な方向に沿ってハンドル２に対して移動可能である。
【００３４】
狭いヘッド７は、その使用位置では、シェービングに使用する準備ができた状態になっており、一方、引込み位置では、狭いヘッド７は、ハンドル２内に隠れ、したがって、使用不能であり、怪我が防止され、また、不測のどのような切断も回避されるように、指で触れることが実質的にできなくなっている。
【００３５】
両方のヘッド６，７は、
−標準的なヘッド６がその使用位置にあり、一方、狭いヘッド７がその引込み位置にある第１の使用位置（図１１）と、
−標準的なヘッド６がその引込み位置にあり、一方、狭いヘッド７がその使用位置にある第２の使用位置（図１２）と、
−シェービング用の両方のヘッド６，７がそれらの引込み位置（図６，８）にある中間位置（図６、８、９）と、
の間を、ハンドルに対して支障なくスライドできるように、ハンドル２に取り付けられた共通の支持体、すなわちプラットフォーム部材８上に取り付けられている。
【００３６】
図５に示されているように、ハンドル２は底部シェル部材９と頂部シェル部材１０を有しており、これらは恒久的に互いに取り付けられ、スライドするプラットフォーム部材を協働して囲んでいる。図８は、カミソリ１の、上方からの斜視図であり、カミソリ１の内部を示すために頂部シェル部材１０がカミソリ１から取り外されている。図９は、カミソリ１の、下方からの斜視図であり、カミソリ１の内部を示すために底部シェル部材９がカミソリ１から取り外されている。
【００３７】
図８に示されているように、プラットフォーム部材８は、細長い弓状のプレート部材１１を有しており、プレート部材１１は、ハンドル２と実質的に同じ曲率を有している。プラットフォーム部材８は、長手方向の補強リブ１２と、互いに間隔を置いて配置された横方向の２つの補強リブ１３，１４とを有し、これらはプレート部材１１の上面１５から突き出ており、また、中央の中空のハウジング１６を有し、ハウジング１６は、一方では、頂面１５から突き出た互いに向かい合う一対の横方向壁１７，１８によって、他方では、やはり頂面１５から突き出ており、横方向壁１７，１８に続いている互いに向かい合う一対の長手方向壁１９，２０によって形成されている。
【００３８】
平坦な弓状の案内板２１がプラットフォーム部材８上に留められている。より厳密には、案内板２１は中央穴２２を備えており、中央穴２２の縁部が、横方向壁１７，１８から突き出たフック２３，２４と協働している。案内板２１の底面２５は、補強リブ１２，１３，１４の頂縁部２６に接触し、それによって、案内板２１はプラットフォーム部材８上に安定して載っている。
【００３９】
プラットフォーム部材８は、プラットフォーム部材８の下面２９から突き出た互いに平行な一対のリブ２７，２８も有しており、これらは、プラットフォーム部材８の実質的に全長にわたって長手方向に延びている。
【００４０】
図５に示されているように、ハンドル２は、スライドするプラットフォーム部材８を案内する手段を備えており、この手段は、底部シェル部材９の底部内面３２から突き出た互いに平行な細長い２本の底部レール３０，３１を有しており、底部レール３０，３１は、互いに平行な一対のリブ２７，２８の各横方向側面に沿って延びている。
【００４１】
案内手段は、頂部シェル部材１０の頂部内面３５から突き出た互いに平行な２本の細長い頂部レール３３，３４も有しており、頂部レール３３，３４は、案内板２１の横方向の両縁部に沿って延びている。
【００４２】
その結果、プラットフォーム部材８は、底部シェル部材９と頂部シェル部材１０との間で正確にスライドするように案内される。
【００４３】
カミソリ１は、手動操作可能なアクチュエータ３６をさらに有しており、アクチュエータ３６は、プラットフォーム部材８を１つの位置から他の位置に移動させるために、ハンドルの軸線Ｘに実質的に平行な方向に沿って頂部シェル部材１０に対してスライド可能である。
【００４４】
図８に示されているように、アクチュエータ３６はプラットフォーム部材上に取り付けられ、円筒形の中空の本体３７を有しており、中空の本体３７は、互いに平行に突き出た可とう性の４つの突出部３８を有しており、突出部３８は、ハウジング１６によってプラットフォーム部材８に形成された中央孔３９を通っている。突出部３８はフック４０を備えており、フック４０は、中央孔３９を横切って延びている長手方向ブリッジ部材４１に係合しており、その結果、アクチュエータ３６はプラットフォーム部材８上に留められている。
【００４５】
アクチュエータ３６の中空の本体３７は、頂部シェル部材１０の、頂部レール３３，３４の間に形成された細長い孔４２を通っている。アクチュエータ３６は、実質的に平坦なヘッド４３も有しており、ヘッド４３は、本体３７の、突出部３８と反対側の一端の所で、頂部シェル部材１０の頂部外面４４から突き出ている。
【００４６】
ヘッドは、ユーザがアクチュエータ３６をしっかり捉えるのに役立つように、ユーザの指（例えば、親指）を受け入れるためのくぼみ４５を有している。
【００４７】
アクチュエータ３６は、ハンドルの軸線Ｘに実質的に直角な高さ方向の軸線Ｙに沿って本体３７内をスライドするように取り付けられたプッシャ４７を含むリリースボタン４３も有している。プッシャ４７は、アクチュエータ３６の本体３７に形成された相応のボア４９内に取り付けられた本体４８と、互いに正反対に位置する横方向のアーム５０，５１と、を有しており、アーム５０，５１は、本体４８から横方向に突き出ており、ハウジング１６の長手方向壁１９，２０に形成された各横方向長穴５２に入れられている。
【００４８】
リリースボタン４６はカバー部材５３も含んでおり、カバー部材５３は、ユーザが指で触れることができるようにくぼみ４５から突き出ており、プッシャ４７の本体４８上に形成された相応の肩面５５と協働するフック５４によってプッシャ４７上に留められている。
【００４９】
プッシャ４７は、ロック位置と非ロック位置との間を、高さ方向の軸線Ｙに沿って本体３７に対してスライド可能であり、ロック位置では、プッシャ４７はプレート部材１１から離れて位置し、カバー部材５３はくぼみ４５から突き出し、非ロック位置では、プッシャ４７はプレート部材１１の近くに位置し、カバー部材５３は少なくとも部分的にくぼみ４５内に入れられる。
【００５０】
プッシャ４７は、本体４８に連続して、横方向のアーム５０，５１の他方の側に円柱形のピン５６を有しており、したがって、プッシャ４７は実質的に十字形である。
【００５１】
戻りばね５７がプッシャ４７とプラットフォーム部材８との間に圧縮された状態で取り付けられ、プッシャ４７をそのロック位置の方へ常に付勢している。より厳密に言えば、戻りばね５７の底端部５８が、プレート部材１１から突き出たピン５９上に取り付けられ、頂端部６０がプッシャ４７のピン５６上に取り付けられ、それによって、ピン５６，５９は協働してばね案内手段を形成している。
【００５２】
図１０に示されているように、各頂部レール３３，３４は、互いに間隔を置いて配置された３つの長穴６１，６２，６３、すなわち、ハンドル２の前端部３の近くに配置された前端部の長穴６１、後端部４の近くに配置された後端部の長穴６２、および前端部の長穴６１と後端部の長穴６２との間に配置された中間の長穴６３を有しており、これらの中に、アクチュエータ３６の位置に応じて横方向のアーム５０，５１が入ることができる。
【００５３】
図９に示されているように、アクチュエータ３６が中間位置にある時、プラットフォーム部材８を所定の位置にロックするロック手段として働くアーム５０，５１は、中間の長穴６３内に入れられている。この位置では、プラットフォーム部材８はその中間位置にあり、シェービング用の両方のヘッド６，７がハンドル２内に入れられている。
【００５４】
ばね５７によってプッシャ４７がそのロック位置の方へ付勢されているので、アーム５０，５１は中間の長穴６３の横方向の肩面に長手方向に当接し、それによってプラットフォーム部材８が長手方向に移動するのが阻止される。
【００５５】
ユーザは、シェービング用のいずれかのヘッド６，７を出したい時はいつでも、戻りばね５７の作用に抗してリリースボタン４６を押し、それによって、アーム５０，５１を中間の長穴６３から外す。すると、ユーザはアクチュエータ３６をハンドル２に対して各方向にスライドさせ、プラットフォーム部材８を第１または第２の使用位置の方へ移動させることができる。
【００５６】
プラットフォーム部材８が第１または第２の使用位置の方へ移動する間、プラットフォーム部材８は、上述のように頂部および底部レール３０，３１，３３，３４によって正確に案内され、アーム５０，５１は、頂部レール３３，３４の縁部６４上にスライドし、それによって、プッシャ４７はその非ロック位置に保持される。
【００５７】
アーム５０，５１が、例えば前端部の長穴６１の手前にくるとすぐに、戻りばね５７によってプッシャ４７がそのロック位置に向かって迅速に移動させられ、そこで、アーム５０，５１は前端部の長穴６１内に留められ、それによって、プラットフォーム部材８がその第１の使用位置にロックされる。
【００５８】
また、アーム５０，５１が後端部の長穴６２の手前にくるとすぐに、戻りばね５７によってプッシャ４７がそのロック位置に向かって迅速に移動させられ、そこで、アーム５０，５１は後端部の長穴６２内に留められ、それによって、プラットフォーム部材８はその第２の使用位置にロックされる。
【００５９】
したがって、プラットフォーム部材８の位置がどちらであっても、プラットフォーム部材８はハンドル２に対してしっかりと保持され、それによって、ヘッド６，７が１つの位置から他の位置に不用意に移動するのが防止される。したがって、ユーザが、一方のヘッドでシェービングを行っている間に他方のヘッドで自分自身を切る可能性は低い。さらに、アクチュエータ３６は、カミソリ１の頂部側にあるため、シェービング中に、カミソリ１をその横方向の面で握っているユーザの指で不用意にアクチュエータ３６が移動させられる可能性も低い。これによって、カミソリ１の安全性がさらに高められる。
【００６０】
さらに、プラットフォーム部材８の位置がどちらであっても、平坦な弓状の案内板、すなわちプレート部材１１が細長い孔４２を常に塞いでおり、それによって、ハンドル２の内側の技術上の部品が見えないようにされ、その結果、カミソリ１の外観性が高められる。
【００６１】
さらに、シェービング用の各ヘッド６，７は、プラットフォーム部材８に取外し可能に取り付けられた交換可能なカートリッジとして構成されており、したがって、刃の縁部がなまったら、カートリッジであるシェービング用のヘッド６，７が除去され新しいものと交換される。
【００６２】
シェービング用のヘッド６，７を交換できるようにするために、カミソリ１は、プラットフォーム部材８の両端部に設けられた座６６，６７にそれぞれ取り付けられた２つのロックアンドリリース機構を含んでいる。
【００６３】
各ロックアンドリリース機構６５は、互いに近づけたり離したりできる２つの脚部６９，７０を有する弾性的なＶ字形の保持部６８を含んでいる。支持部材７１が、脚部６９，７０の端部に形成され、それらに対応するシェービング用のヘッド６，７の背面に設けられた、それらに対応する湾曲したフック７２に取外し可能に取り付けられ、シェービング用のヘッド６，７はプラットフォーム部材８に対して揺動運動できるようになっている。
【００６４】
カム部材７３が、脚部６９，７０の間に取り付けられ、支持部材７１をそれに対応するフック７２と協働する状態に保つように、脚部６９，７０を互いに離れる方向に常に付勢している。脚部６９，７０の間には、プランジャ７４も取り付けられており、プランジャ７４の前部７５が、シェービング用のヘッド６，７の背後側に設けられたＶ字形カム面に接触している。圧縮ばね７６が、プランジャ７４とカム部材７３との間に挿入され、それらを互いに離れる方向に付勢しており、それによって、プランジャ７４は前方に押されてシェービング用のヘッド６，７と常に接触させられた状態に保持され、また、カム部材７３が後方に押されて脚部６９，７０と常に接触させられた状態に保持されている。
【００６５】
ロックアンドリリース機構６５は、ハンドル２の端部、すなわち前端部３と後端部４の近くに取り付けられたアクチュエータ７７によって始動される。各アクチュエータ７７は、金属製の板ばね部材８０の可とう性の前部７９上に取り付けられたボタン７８を含んでおり、金属製の板ばね部材８０の、固定された後部８１は、底部シェル部材および頂部シェル部材９，１０の側壁８４，８５に形成された溝８２，８３内にしっかりと維持されている。
【００６６】
各板ばね部材８０の前部７９は、底部シェル部材９と頂部シェル部材１０の、相補的な切欠き８７，８８によってハンドルの各端部の近くに形成された、側面の、長円形の開口部８６を横切って長手方向に延びている。
【００６７】
各板ばね部材８０は、固定された後部に形成された矩形の２つの穴、すなわち、底部穴８９と頂部穴９１とを備えており、底部穴８９は、底部シェル部材９の側壁８４に形成されたフック９０と協働し、頂部穴９１は、頂部シェル部材１０の側壁８５に形成されたフック９２と協働している。それによって、板ばね部材８０は、底部シェル部材９と頂部シェル部材１０を一緒に保持するクリップ部材を形成している。
【００６８】
各ボタン７８は、ユーザの指で触れることができるように開口部８６を通って横方向に延びる長円形の本体９３と、板ばね部材８０の前部７９に接触する、内側に向けられた平坦面９５、および開口部８６の内側縁部に当接する、外側に向けられた肩面９６を有するベース部９４とを有している。
【００６９】
各脚部６９，７０は、横方向に突き出たウィング９７を有しており、ウィング９７の端部は板ばね部材８０の内側面９８に接触している。
【００７０】
図８に示されているように、各ロックアンドリリース機構６５はカバー部材９９によってプラットフォーム部材８に取り付けられており、カバー部材９９は、プラットフォーム部材８上に留められ、それによって、ロックアンドリリース機構を挟んで所定の位置に保持している。より厳密に言えば、カバー部材９９は、開口部１０１を備えた横方向フランジ１００を有しており、開口部１０１の縁部が、プラットフォーム部材８上に設けられた相応のフック１０２と協働している。切欠き１０３が、ウィング９７を自由に通過させるようにカバー部材９９の側壁に形成されている。
【００７１】
長手方向溝１０４，１０５が、カバー部材９９およびプラットフォーム部材８に形成されており、プランジャ７４上に設けられた相応のリブ１０６と協働してプランジャ７４の前後への移動を案内する。
【００７２】
使用位置では、カミソリのヘッド６または７がハンドル２の相応の端部、すなわち前端部３または後端部４から突出し、ウィング９７が板ばね部材８０の可とう性の前部７９に接触しており、したがって、手動操作によって両ボタン７８を互いの方に向かって移動させることにより、脚部６９，７０がウィング９７を介して付勢され、それによって、支持部材７１がフック７２から外され、一方、圧縮ばね７６の付勢力によってプランジャ７４が前方に移動させられることによって、シェービング用のヘッド６または７は押し出され、ヘッド６または７を除去し交換することが可能になる。
【００７３】
プラットフォーム部材８の中間位置または他の使用位置では、カミソリのヘッド６または７はハンドル２内に入れられ、ウィング９７は、板ばね部材８０の、固定された後部８１に接触し、したがって、ボタン７８の移動は脚部６９，７０に影響を与えず、それによって、ヘッド６または７が使用位置にない時にカミソリのヘッド６または７を除去され交換されるのが防止される。シェービングヘッドがその使用位置にある時にのみシェービングヘッドを交換できるようにすることによって、除去および交換の必要がない時に、ボタンに対してどのような誤った操作をしても、ヘッドが不用意に押出されるのが防止される。
【００７４】
図１６および１７に示されているように、カミソリ１を取外し可能にカミソリホルダ１０７上に取り付けてシェービングシステム１０８を形成することができる。ホルダ１０７は、両面接着パッド、吸着カップ、または同等の任意の適切な手段によって、壁１１０、例えば浴室やシャワーの壁に取り付けるための平坦な背後壁１０９を有している。
【００７５】
ホルダ１０７は、カミソリのハンドル２に係合する横方向のウィング１１１，１１２を有しており、ウィング１１１，１１２は協働してＶ字形の座を形成しており、この座に、ハンドル２の、中央の狭窄部５の近傍に配置された相補的な側面１１３が当接する。図１５に示されているように、ウィング１１１，１１２は、側面１１３の曲率に合い、単純な鉛直方向の係合によってカミソリ２をしっかりと保持するように互いの方へ湾曲している。
【００７６】
上述の実施形態では、ハンドル２の両端部、すなわち前端部３と後端部４は常に開いている。しかし、任意構成の実施形態では、両端部、すなわち前端部３と後端部４を少なくとも部分的におよび／または一時的にカバー部材で覆ってもよい。
【００７７】
第１の任意構成の実施形態では、カミソリは、可動の複数のフラップを備えており、これらのフラップは、
−刃に手が触れるのを防止し、ハンドルの内部を（特にほこりと水分から）保護するように、各フラップがハンドルの、各フラップに対応する端部を覆う閉位置と、
−カミソリのヘッドが端部から外側に突き出ることができるように、各フラップがそれに対応する端部を開放する開位置と、
の間を、プラットフォームアクチュエータの制御下でスライドするようにハンドルに取り付けられている。
【００７８】
第２の任意構成の実施形態では、カミソリは、手動で取外し可能な複数のふたを備えており、これらのふたは、刃に手が触れるのを防止し、ハンドルの内部を保護するように、各ふたに対応するカミソリヘッドが引込み位置にある時はハンドルの端部に取り付けられる。ユーザが一方のカミソリヘッドを使用することが必要になった時は、それに対応するふたを取り外すだけでよい。
【００７９】
第３の任意構成の実施形態では、カミソリのハンドルの各端部は、それに対応するカミソリヘッドを、その使用位置からその引込み位置に移動する際、およびその逆に移動する際に通過させることができる（例えば、熱可塑性材料またはゴム材料から作られた）可とう性の末端壁を備えている。
【００８０】
例えば、この末端壁は、中央の長穴を備えており、それに対応するカミソリヘッドは、末端壁を歪ませながら長穴を通過することができる。末端壁は、刃に手が触れるのを防止し、ハンドルの内側を、特にほこりと水分から保護するシールドを形成している。
【図面の簡単な説明】
【００８１】
【図１】本発明の好ましい実施形態によるカミソリの、第１の使用位置で示されている斜視図である。
【図２】図１のカミソリの、中間位置で示されている斜視図である。
【図３】図１および２のカミソリの、第２の使用位置で示されている斜視図である。
【図４】中間位置にある、上記の各図のカミソリの、上方から見た平面図である。
【図５】上記の各図のカミソリの、上方から見た分解斜視図である。
【図６】図４の線ＶＩ−ＶＩに沿った、上記の各図のカミソリの長手方向断面図である。
【図７】図４の線ＶＩＩ−ＶＩＩに沿った、上記の各図のカミソリの横断面図である。
【図８】中間位置で示されている、上記の各図のカミソリの、上方から見た部分斜視図である。
【図９】中間位置で示されている、上記の各図のカミソリの、下方から見た部分斜視図である。
【図１０】図９のカミソリの、下方から見た部分分解斜視図である。
【図１１】第１の使用位置にあるカミソリを示す、図８と同様の図である。
【図１２】第２の使用位置にあるカミソリを示す、図８と同様の図である。
【図１３】中間位置にある、上記の各図のカミソリのロックアンドリリース機構を示す、上方からの斜視図である。
【図１４】第１の使用位置にあるロックアンドリリース機構を示す、図１３と同様の図である。
【図１５】上記の各図のカミソリ用のホルダを示す上方から見た平面図である。
【図１６】図１５のホルダと上記の各図のカミソリを示す分解斜視図である。
【図１７】図１５および１６のホルダと上記の各図のカミソリとの組立体を示す斜視図である。
【図１８】図１７の組立体の、上方から見た平面図である。
【図１】
2007529251.tif 000003
【図２】
2007529251.tif 000004
【図３】
2007529251.tif 000005
【図４】
2007529251.tif 000006
【図５】
2007529251.tif 000007
【図６】
2007529251.tif 000008
【図７】
2007529251.tif 000009
【図８】
2007529251.tif 000010
【図９】
2007529251.tif 000011
【図１０】
2007529251.tif 000012
【図１１】
2007529251.tif 000013
【図１２】
2007529251.tif 000014
【図１３】
2007529251.tif 000015
【図１４】
2007529251.tif 000016
【図１５】
2007529251.tif 000017
【図１６】
2007529251.tif 000018
【図１７】
2007529251.tif 000019
【図１８】
2007529251.tif 000020
【国際調査報告】
2007529251.tif 000021
2007529251.tif 000022
2007529251.tif 000023